(57)【要約】      （修正有）【課題】ユーザの腹筋を強化するために適用可能な運動器具を提供する。【解決手段】本運動器具１００は、上側端部と下側端部とを有するトラックフレーム１１５を含む。１つまたは複数の膝立ちアセンブリ１１７ａ，１１７ｂは、ユーザの膝を受けて、トラックフレームの下側端部と上側端部との間で上下に移動するように、トラックフレームの平行な滑動レール１５９に可動式に装着することができる。各膝立ちアセンブリは、一対の滑動レールと係合する。トラックフレームの上側端部に、回転式に調節可能なアームレストホルダー１０１を装着することができる。アームレストホルダーは、下側端部と上側端部との間でトラックフレームの軸との角度関係を有する方向に向かって配向する。アームレストホルダーは、角度関係にしたがったツイスト効果のある運動をするユーザの腕を支持することが可能である。【選択図】図１
0003193111.tif 000002
【実用新案登録請求の範囲】
【請求項１】
トラックフレームであって、前記トラックフレームの上側端部と下側端部との間に延びた複数の細長い滑動レールを有する、トラックフレームと、
ユーザの膝を受けて、前記トラックフレームの前記下側端部および前記上側端部との間の前記細長い滑動レールに沿って上下に移動するように、前記細長い滑動レールに可動式に装着された１つまたは複数の膝立ちアセンブリであって、前記膝立ちアセンブリが、前記細長い滑動レールに沿って一緒にまたは別々に移動するように構成可能である、１つまたは複数の膝立ちアセンブリと、
前記トラックフレームの前記上側端部に装着された回転式に調整可能なアームレストホルダーであって、前記アームレストホルダーが、前記下側端部と前記上側端部との間の前記トラックフレームの軸との角度関係を有する方向に向かって配向され、前記アームレストホルダーが、前記角度関係にしたがったツイスト効果のある運動をする前記ユーザの腕を支持することが可能である、アームレストホルダーと
を備える、運動器具。
【請求項２】
前記アームレストホルダーが、
前記アームレストホルダーの前記方向に向いたハンドルバーであって、前記ハンドルバーが、前記ユーザの両手によって把持される、ハンドルバーと、
前記ハンドルバーと整列して配列された２つの肘パッドであって、前記肘パッドが、前記ユーザの載置された肘を受けるように成形される、肘パッドと、
前記アームレストホルダーの前記方向と前記トラックフレームの軸との前記角度関係に対応する角度値を示すディスプレイと
を備える、請求項１に記載の運動器具。
【請求項３】
前記トラックフレームが、前記トラックフレームの前記上側端部で前記滑動レールに固定式に取り付けられた結束プレートを有し、前記アームレストホルダーの回転運動が、前記結束プレートに対応する表面に沿って拘束され、前記トラックフレームの前記軸および前記アームレストホルダーの前記方向が、前記表面を介して角度を成し、前記ディスプレイが、前記角度の前記角度値を表示する、請求項２に記載の運動器具。
【請求項４】
前記アームレストホルダーが装着ブラケットを含み、前記ハンドルバーと前記肘パッドと前記ディスプレイとが前記装着ブラケットに固定式に取り付けられ、前記アームレストホルダーが調整用締め具を有し、前記装着ブラケットが前記調整用締め具を介して前記結束プレートの中心を中心として回転式に調整可能である、請求項３に記載の運動器具。
【請求項５】
前記結束プレートが、前記中心の周りで円形に等間隔に離間した複数の結合ホールとともに構成され、前記アームレストホルダーは、前記調整用締め具が前記結合ホールのうちの１つを通して係止された状態で前記結束プレートに固着される、請求項４に記載の運動器具。
【請求項６】
前記締め具が、前記トラックフレームの前記軸と前記アームレストホルダーの前記方向との前記角度について、複数の所定の大きさのうちの１つを選択するものであり、前記所定の大きさは、前記結束プレートの中心の周りの前記複数の結合ホールにそれぞれ対応する、請求項５に記載の運動器具。
【請求項７】
前記滑動レールが、２以上の次元でユーザが運動することができるように湾曲している、請求項１に記載の運動器具。
【請求項８】
複数の前記細長い滑動レールが、前記トラックフレームの前記下側端部と前記上側端部との間に平行に配列され、各膝立ちアセンブリが、前記細長い滑動レールの１つまたは複数と係合して移動する、請求項１に記載の運動器具。
【請求項９】
前記膝立ちアセンブリが、第１の膝立ちアセンブリと第２の膝立ちアセンブリとを含み、前記細長い滑動レールが、滑動レールの第１の対と滑動レールの第２の対とを含み、前記第１の膝立ちアセンブリと前記第２の膝立ちアセンブリとが、滑動レールの前記第１の対と前記第２の対とにそれぞれ別個に係合している、請求項８に記載の運動器具。
【請求項１０】
各膝立ちアセンブリが、前記細長い滑動レールのうちの１つのみと別個に係合して移動する、請求項８に記載の運動器具。
【請求項１１】
前記第１の膝立ちアセンブリが、滑動レールの前記第１の対の第１の軸と第１の角度を成す第１の方向に向かって配向するように回転式に調整可能な第１の膝立ちパッドを含み、前記第２の膝立ちアセンブリが、滑動レールの前記第２の対の第２の軸と第２の角度を成す第２の方向に向かって配向するように回転式に調整可能な第２の膝立ちパッドを含み、前記第１の膝立ちアセンブリおよび前記第２の膝立ちアセンブリが、前記第１の角度および第２の角度にしたがう動きによりさらなるツイスト効果をもたらす、請求項９に記載の運動器具。
【請求項１２】
前記第１の膝立ちアセンブリおよび前記第２の膝立ちアセンブリが、前記第１の角度および前記第２の角度の大きさがさらなるツイスト効果のために実質的に等しくなるように、前記第１の膝立ちパッドと前記第２の膝立ちパッドとを着脱可能に結合するための結合制御機構を含む、請求項９に記載の運動器具。
【請求項１３】
前記結合制御機構が、前記第１の膝立ちアセンブリと前記第２の膝立ちアセンブリとがそれぞれ前記第１の滑動レールと前記第２の滑動レールとに沿って互いに反対方向に滑動するように、前記第１の膝立ちアセンブリと前記第２の膝立ちアセンブリとを結合解除することが可能である、請求項９に記載の運動器具。
【請求項１４】
前記第１の膝立ちアセンブリが、滑動レールの前記第１の対に可動式に装着された第１の装着ブラケットを含み、前記第１の膝立ちパッドが、前記第１の装着ブラケットの第１の表面を介して前記第１の装着ブラケットに調節可能に接続され、前記第１の膝立ちパッドが、前記第１の表面に垂直な第１の回転軸に対して回転することが可能である、請求項９に記載の運動器具。
【請求項１５】
前記トラックフレームの前記上側端部に固定された支持フレームをさらに備え、前記支持フレームが、前記トラックフレームの前記上側端部を床から上昇させ、前記トラックフレームの前記下側端部が、前記床に載置される、請求項１に記載の運動器具。
【請求項１６】
運動器具であって、
平行な細長い滑動レールの２つの対を有するトラックフレームであって、前記トラックフレームが、上側端部および下側端部を有する、トラックフレームと、
前記滑動レールの各対に別個に可動式に装着された滑動構造体の対であって、前記滑動構造体が、ユーザの膝を受けて、前記レールに沿って前記滑動構造体とともに移動することが可能な膝立ちパッドを有し、前記膝立ちパッドが、前記下側端部と前記上側端部との間の前記トラックフレームの軸と第１の角度関係を有する第１の方向に向かって調整可能に配向される、滑動構造体の対と、
前記トラックフレームの前記上側端部に装着された回転式に調整可能なアームレストホルダーであって、前記アームレストホルダーが、前記トラックフレームの前記軸と第２の角度関係を有する第２の方向に向かって配向され、前記アームレストホルダーが、前記第１の角度関係および前記第２の角度関係にしたがったツイスト効果のある運動をする前記ユーザの腕を支えることが可能である、アームレストホルダーと、
前記運動器具を支持する床からの支持を提供するために前記トラックフレームの前記上側端部に結合された支持フレームであって、前記支持フレームが、前記トラックフレームの前記下側端部を前記床に載置したまま、前記トラックフレームを前記床から上向きに傾斜させる、支持フレームと
を備える、運動器具。
【考案の詳細な説明】
【技術分野】
【０００１】
本考案は、概して、身体トレーニングマシンに関し、詳細には、ユーザの腹筋を運動させるように構築された運動器具（エクササイズマシン）に関する。
【背景技術】
【０００２】
運動不足によって生じる健康問題に関する意識が高まるにつれて、運動器具の人気は絶え間なく増大している。典型的には、これらの運動器具は、身体の特定の部分を動かすことに焦点を合わせるように設計されている。たとえば、腹筋運動器具は、腹筋を強化するための身体運動を誘発するように構築され得る。
【０００３】
ただし、既存の腹筋運動器具は、通常、シットアップ運動（起き上がり運動）のバリエーションに基づいて設計される。効果的な腹筋運動は、ウエスト、脚などを含む身体の様々な部分の筋肉に関与する動きの組合せを必要とし得る。身体の様々な部分を運動させるために利用可能な運動器具はたくさんあるが、これらの多目的運動器具は、通常、重量があり高価な装置である。さらに、これらの装置は、しばしば、ユーザが一度に１次元の運動の動きを行うことを目的としている。
【０００４】
したがって、従来の腹筋運動器具は、ユーザが多次元に腹筋を容易に運動させるためには、効果的ではない。
【考案の概要】
【考案が解決しようとする課題】
【０００５】
解決しようとする問題点は、従来の腹筋運動器具は、ユーザが多次元に腹筋を容易に運動させるためには、効果的ではない点である。
【課題を解決するための手段】
【０００６】
トラックフレームの上側端部と下側端部との間に延びた１つまたは複数の細長い滑動レールを有する、ユーザの腹筋を多次元に（たとえば、回転運動と前後の直線運動とを同時に行うことができるように）強化するために適用可能な運動器具は、トラックフレームを含むことができる。１つまたは複数の膝立ちアセンブリは、ユーザの膝を受けて、下側端部と上側端部との間で細長い滑動レールに沿ってトラックフレームを上下に移動させるように、細長い滑動レールに可動式に装着することができる。複数の膝立ちアセンブリは、細長い滑動レールに沿って一緒にまたは別々に移動するように構成可能であり得る。トラックフレームの上側端部に、回転式に調節可能なアームレストホルダーを装着することができる。アームレストホルダーは、下側端部と上側端部との間でトラックフレームの軸との角度関係を有する方向に向かって配向することができる。アームレストホルダーは、角度関係にしたがったツイスト効果のある運動をするユーザの腕を支持することが可能であり得る。
【０００７】
別の実施形態では、トラックフレームは、平行に配列された細長い滑動レールの２つの対を有することができる。トラックフレームは、上側端部および下側端部を有することができる。滑動レールの各対に、滑動構造体の対を別個に可動式に装着することができる。滑動構造体は、ユーザの膝を受けて、細長いレールに沿って滑動構造体とともに移動することが可能な膝立ちパッドを有する。この膝立ちパッドは、トラックフレームの下側端部と上側端部との間のトラックフレームの軸との第１の角度関係を有する第１の方向に向かって調整可能に配向され得る。
【０００８】
トラックフレームの上側端部に、回転式に調整可能なアームレストホルダーを装着することができる。アームレストホルダーは、トラックフレームの軸または長手方向と第２の角度関係を有する第２の方向に向かって配向することができる。アームレストホルダーは、第１の角度関係および第２の角度関係にしたがったツイスト効果のある細長いレールに沿った運動を加えるユーザの腕を支持することが可能であり得る。支持フレームは、運動器具を支持する床からのを提供するためにトラックフレームの上側端部に結合することができる。支持フレームは、トラックフレームの下側端部を床に載置したまま、トラックフレームを床から上向きに傾斜させることができる。
【考案の効果】
【０００９】
本考案の運動器具は、ユーザの腹筋を多次元に強化することができるという利点がある。
【００１０】
詳細な説明と、本発明の原理を組み込んだ好適な構造的な実施形態が例として示される添付の図面とを参照すると、当業者には、本考案の他の利点および特徴が明らかになるであろう。
【００１１】
本考案は、例として示され、同様の参照符号が同様の要素を示す添付の図面に限定するものではない。
【図面の簡単な説明】
【００１２】
【図１】運動器具アセンブリの一実施形態の斜視図である。
【図２】運動器具アセンブリの一実施形態の分解斜視図である。
【図３Ａ】本考案の用途・適用の一例を示す図である。
【図３Ｂ】本考案の用途・適用の一例を示す図である。
【図４Ａ】本考案の用途・適用の一例を示す図である。
【図４Ｂ】本考案の用途・適用の一例を示す図である。
【図５Ａ】本考案の用途・適用の一例を示す図である。
【図５Ｂ】本考案の用途・適用の一例を示す図である。
【図６Ａ】本考案の用途・適用の一例を示す図である。
【図６Ｂ】本考案の用途・適用の一例を示す図である。
【図７Ａ】本考案の用途・適用の一例を示す図である。
【図７Ｂ】本考案の用途・適用の一例を示す図である。
【図８Ａ】本考案の用途・適用の一例を示す図である。
【図８Ｂ】本考案の用途・適用の一例を示す図である。
【図９Ａ】本考案の用途・適用の一例を示す図である。
【図９Ｂ】本考案の用途・適用の一例を示す図である。
【図１０Ａ】本考案の用途・適用の一例を示す図である。
【図１０Ｂ】本考案の用途・適用の一例を示す図である。
【図１１Ａ】本考案の用途・適用の一例を示す図である。
【図１１Ｂ】本考案の用途・適用の一例を示す図である。
【図１２Ａ】本考案の用途・適用の一例を示す図である。
【図１２Ｂ】本考案の用途・適用の一例を示す図である。
【図１３Ａ】本考案の用途・適用の一例を示す図である。
【図１３Ｂ】本考案の用途・適用の一例を示す図である。
【考案を実施するための形態】
【００１３】
以下の記載において、多数の具体的な詳細を、本考案の完全な理解を提供するために、外面、名前の付いた構成要素、構成要素間の接続などの例について記載する。しかしながら、当業者には、これらの具体的な詳細なしに本考案を実施し得ることは明らかであろう。他の事例では、本考案をいたずらに不明瞭にすることを回避するために、周知の構成要素または方法については詳細には記載せずに、ブロック図で記載する。さらに、「第１の」、「第２の」、「第３の」のなどのような具体的な参照番号が使用され得る。ただし、具体的な参照番号は、順序としてではなく、様々な対象物に対する参照として解釈すべきである。したがって、記載される具体的な詳細は例示的なものにすぎない。具体的な詳細は変更することができ、さらに、本考案の趣旨および範囲に含まれることが企図される。
【００１４】
本明細書において「一の実施形態」または「一実施形態」という記載は、その実施形態に関して記載された特定の構造または特徴が、本考案の少なくとも一の実施形態に含まれ得ることを意味する。本明細書の様々な箇所において「一実施形態では」という句で表されるものは、必ずしも同じ実施形態に言及するとは限らない。
【００１５】
図１は、運動器具アセンブリの一実施形態の斜視図である。運動器具（または装置）１００は、１つまたは複数の細長い滑動レール１５９を有するトラックフレーム１１５を含むことができる。たとえば、滑動レール１５９は、平行に配設された細長い滑動レールの第１の対および第２の対を含むことができる。トラックフレーム１１５は、支持フレーム１５３と固定された上側端部と、床に載置されたフットベース１２５を有する下側端部とを有することができる。トラックフレーム１１５は、トラックフレームの下側端部と上側端部との間での（１つまたは複数の）滑動レールに沿った滑動運動をサポートするための１つのシングル滑動レール、２つの平行滑動レールまたは複数の平行滑動レールで構成することができる。支持フレーム１５３は、トラックフレーム１１５の上側端部を床から上昇させることできる。一の実施形態では、支持フレーム１５３は、床に載置された支持ベース１０７上に上向きに立っている支柱１０５を含み得る。トラックフレーム１１５の滑動レールと支柱１０５とは、結合ロッドを介して互いに取り付けることができる。
【００１６】
運動器具１００は、トラックフレーム１１５上に可動式に装着された膝立ち支持体１１７を含むことができる。トラックフレーム１１５の平行滑動レールは、湾曲して、または直線的に、トラックフレーム１１５の上側端部と下側端部との間に延びることができる。たとえば、平行滑動レールは、膝立ち支持体１１７が複数の次元で滑動レールに沿って移動することができるように、凹形状、凸形状、または、他の適用可能な直線的でない形態にすることができる。
【００１７】
運動器具１００は、トラックフレーム１１５に沿って動くユーザの腕を支持するための、トラックフレーム１１５の上側端部に装着された回転式に調節可能なアームレストホルダー１０１を含むことができる。アームレストホルダー１０１は、トラックフレーム１１５の（たとえば、上側端部と下側端部との間に軸に沿った）長手方向と様々な角度関係を形成するために様々な方向に向かって配向可能な回転ディスクとして構成することができる。たとえば、ユーザがアームレストホルダー１０１に必要な回転量を調整することができるように、調整ノブ１１９を設けることができる。考えられ得る回転量は、０度回転、１０〜６０度の左／右回転、または他の適用可能な角度の回転のような所定の構成から選択することができる。この角度関係は、トラックフレーム１１５に沿って動かしながらアームレストホルダー１０１を使用するユーザに対するツイスト効果を刺激することができる。
【００１８】
いくつかの実施形態では、アームレストホルダー１０１は、運動器具１００をユーザが手で把持することができるように、アームレストホルダー１０１の正面方向に向かって延びたハンドルバー１０３を含むことができる。アームレストホルダー１０１は、ハンドルバー１０３を把持しているユーザの肘を受けるよう成形された、ハンドルバー１０３と整列する、またはそこから延びた２つの肘パッド１１１を含むことができる。アームレストホルダー１０１は、トラックフレーム１１５に対するアームレストホルダー１０１の回転量を示すために、ディスプレイ１０９を装備することができる。たとえば、ディスプレイ１０９は、アームレストホルダー１０１の正面方向とトラックフレーム１１５の長手方向軸に沿った膝立ち支持体の移動方向との間の角度関係を示す角度値を出力するために、ＬＣＤ（液晶ディスプレイ）または他の適用可能なディスプレイ機構のようなデジタルディスプレイ装置を含むことができる。
【００１９】
一の実施形態では、膝立ち支持体１１７は、トラックフレーム１１５の滑動レール１５９に別々に可動式に装着された第１の膝立ちアセンブリ１１７ａおよび第２の膝立ちアセンブリ１１７ｂを含むことができる。いくつかの実施形態では、各膝立ちアセンブリ１１７ａ、１１７ｂは、たとえば、移動させたときの安定性を高めるために、一対の滑動レール１５９に装着することができる。代替的には、滑動レール１５９の１つのみに沿って各膝立ちアセンブリを装着してもよい。たとえば、運動器具１００は、膝立ちアセンブリ１１７ａ、１１７ｂの組合せに対応して、膝立ちアセンブリを１つしか含まないこともある。
【００２０】
膝立ち支持体１１７は、運動器具１００を使用するユーザの膝を受けて、トラックフレーム１１５の下側端部と上側端部との間で上下に移動することが可能である。第１の膝立ちアセンブリ１１７ａおよび第２の膝立ちアセンブリ１１７ｂは、トラックフレーム１１５の滑動レールに沿って一緒にまたは別々に移動する（または滑動する）ことができ、それにより、ユーザは、各々が別個の膝立ちアセンブリ１１７ａ、１１７ｂに載置された２本の脚を一緒に一方向に、または別々に２つの対抗する方向に、トラックフレーム１１５の滑動レールに沿って長手方向に動かすができるようになる。
【００２１】
各膝立ちアセンブリ１１７ａ、１１７ｂは、回転式に調節可能な膝立ちパッド１５５ａ、１５５ｂを別個に含むことができる。たとえば、膝立ちアセンブリ１１７ａは、トラックフレーム１１５の軸と第１の角度を成す第１の方向に向かって配向された膝立ちパッド１５５ａと固定することができる。膝立ちアセンブリ１１７ｂは、トラックフレーム１１５の軸と第２の角度を成す第２の方向に向かって配向された膝立ちパッド１５５ｂと固定することができる。一の実施形態では、膝立ちパッド１５５ａ、１５５ｂが一緒に平行に移動するときに、トラックフレーム１１５に沿って動かしているユーザに追加のツイスト効果を提供するために、第１の角度と第２の角度との大きさを実質的に等しくすることができる。
【００２２】
一の実施形態では、膝立ちアセンブリ１１７ａ、１１７ｂが共通の方向に向かって平行に移動して、さらなるツイスト効果をもたらすように、膝立ちパッド１５５ａ、１５５ｂは、膝立ちアセンブリ１１７ａ、１１７ｂを着脱可能に結合するための結合制御機構を含むことができる。代替的には、結合制御機構は、各膝立ちアセンブリがトラックフレーム１１５の別個の滑動レールに沿って反対方向に滑動することができるように、膝立ちアセンブリ１１７ａ、１１７ｂの結合を解除することができる。
【００２３】
膝立ちアセンブリ１１７ａ、１１７ｂは、トラックフレーム１１５の対応する滑動レールに可動式に装着された装着ブラケットを別個に含むことができる。たとえば、膝立ちアセンブリ１１７ｂは、装着ブラケット１２１と、この装着ブラケット１２１の表面を介して装着ブラケット１２１に取り付けられた回転式に調節可能な膝立ちパッド１５５ｂとを含むことができる。その結果、膝立ちパッド１５５ｂは、装着ブラケット１２１の表面に対して実質的に垂直な回転軸に対して回転することができる。
【００２４】
別の実施形態では、運動器具１００は、平行な２つの細長い滑動レール１５９の対を有するトラックフレーム１１５を含むことができる。トラックフレーム１１５は、上側端部および下側端部を有することができる。運動器具１００は、滑動レールに可動式に装着された滑動構造体１１７ａ、１１７ｂの対を含むことができる。滑動構造体１１７ａ、１１７ｂは、ユーザの膝を受けて、レールに沿って滑動する滑動構造体１１７ａ、１１７ｂとともに移動することができる膝立ちパッド１５５ａ、１５５ｂを含むことができる。膝立ちパッド１５５ａ、１５５ｂは、たとえば、トラックフレーム１１５の下側端部と上側端部との間に、軸と第１の角度関係を成す第１の方向に向かって調節可能に配向することができる。
【００２５】
運動器具１００は、トラックフレーム１１５の上側端部に装着された回転式に調節可能なアームレストホルダー１０１を含むことができる。アームレストホルダー１０１は、トラックフレーム１１５の軸と第２の角度関係を成す第２の方向に向かって配向することができる。一の実施形態では、アームレストホルダーは、ユーザの腕を支持し、軸またはトラックフレーム１１５の長手方向に対する滑動構造体１１７を介した第１の角度関係およびアームレストホルダー１０１を介した第２の角度関係にしたがって、トラックフレーム１１５に沿った動きにツイスト効果を加えることが可能であり得る。支持フレーム１５３は、トラックフレーム１１５の下側端部を床に載置したままトラックフレーム１１５を床から上向きに傾斜させるように床からの支持を提供するために、トラックフレーム１１５の上側端部に結合することができる。
【００２６】
図２は、図１に示したような運動器具アセンブリの一実施形態の分解斜視図である。たとえば、トラックフレーム１１５は、トラックフレーム１１５の上側端部で滑動レールに固定式に取り付けられた結束プレート１２７を含むことができる。結束プレート１２７に対応する表面に沿って、図１のアームレストホルダー１０１のようなアームレストホルダーの回転運動を拘束することができる。
【００２７】
アームレストホルダーは、ハンドルバー１０３と、肘パッド１１１と、装着ブラケット１２５に固定式に取り付けられたディスプレイ１０９とを含むことができる。調整用締め具の調整ノブ１１９により、結束プレート１２７の中心を中心として装着ブラケット１２５を回転させて調整することが可能になり得る。いくつかの実施形態では、結束プレート１２７は、複数の結合ホール１２９が、たとえば、結束プレート１２７の中心を中心として円形に（または他の適用可能な角度位置配列によって）等間隔に離間するように構成することができる。アームレストホルダーは、調整ノブ１１９を介して調整用締め具が結合ホール１２９のうちの１つを通して係止された状態で結束プレート１２７に固着することができる。
【００２８】
一の実施形態では、トラックフレーム１１５の軸とアームレストホルダーの配向（または方向）とは、結束プレート１２７の表面を介して角度を成すことができる。ディスプレイ１０９は、アームレストホルダーの配向を表す角度の角度値を示すことができる。アームレストホルダーの考えられ得る配向は、結束プレート１２７の中心の周りの複数の結合ホール１２９に対応して事前に構成され得る。調整ノブ１１９をもつ調整用締め具を結合ホール１２９のうちの１つに固締して、トラックフレーム１１５の軸に対してアームレストホルダーを配向するための対応する角度を選択することができる。
【００２９】
図１の膝立ちアセンブリ１１７ａ、１１７ｂのような膝立ちアセンブリは、トラックフレーム１１５の細長い滑動レール１５９に摺動可能に取り付けることができる１つまたは複数の車輪１５１を用いて取り付けられるスライドブラケット１３７を含むことができる。たとえば、摺動ブラケット１３７は、２組の車輪１５１を用いて固定することができ、各組は、一対のレール１５９の一方に沿って転がることができる。各レールは、レールの１つまたは複数の側部（たとえば、頂部側および底側部）に沿って車輪と係合することができる。制御ブラケット１５７を介した結合制御機構は、トラックフレーム１１５に沿って一緒にまたは別々に移動するように２つの摺動ブラケット１３７を固締することができる。
【００３０】
一の実施形態では、膝立ちアセンブリは、プレート１４５を介して摺動ブラケット１３７に固定された膝立ちパッド１５５ａ、１５５ｂを含むことができる。プレート１４５は、湾曲したトラック１４９を含むことができ、このトラック１４９は、摺動ブラケット１３７上で回転式の位置調整または湾曲した位置調整を可能にするように中空とすることができる。たとえば、膝立ちパッド１５５ａ、１５５ｂは、膝立ちパッド１５５ａ、１５５ｂを所望の方向に回転させるために湾曲したトラック１４９に沿って所定の位置に固着することができる調整ノブ１２３を用いて、摺動ブラケット１３７に取り付けることができる。
【００３１】
図３〜図１３は、たとえば、図１の運動器具１００に基づいて、本考案の用途・適用の複数の例を示す。次に図３Ａ〜図３Ｂを参照すると、アームレストホルダー１０１は、トラックフレーム１１５と長手方向に整列させることができる。ユーザは、腕および肘をアームレストホルダー１０１に載置した状態でハンドルバーに掴まることができる。ユーザが膝立ち支持体１１７の膝立ちパッドの上の膝を載せると、トラックフレーム１１５の曲率に沿った上下の摺動運動を生じさせることができる。代替的には、次に図４Ａ〜図４Ｂを参照すると、トラックフレーム１１５の別個のレールに沿ってユーザの脚を交替に別々に動かすことができるように、膝立ち支持体の２つの膝立ちパッドの結合を解除することができる。
【００３２】
次に図５Ａ〜図５Ｂを参照すると、アームレストホルダー１０１は、フレーム１１５の長手方向に対して中間の大きさ（たとえば、３０度）の角度関係を成すように左に回転させることができる。ユーザが腕および肘をアームレストホルダー１０１に載置した状態でハンドルバーに掴まってトラックフレーム１１５の曲率に沿った上下の摺動運動を生じさせると、ユーザの上半身を介したツイスト効果をもたらすことができる。代替的には、次に図６Ａ〜図６Ｂを参照すると、アームレストホルダー１０１は、トラックフレームに沿って動きながらツイスト効果を増大させるために、トラックフレーム１１５の長手方向に対して一定の大きさ（たとえば、６０度）の鋭角な角度関係を成すようにさらに左に回転させることができる。図７Ａ〜図７Ｂおよび図８Ａ〜図８Ｂは、図５〜図６と同様の運動器具の用途・適用例を示しており、アームレストホルダー１０１を右側に回転させている。
【００３３】
次に図９Ａ〜図９Ｂを参照すると、アームレストホルダー１０１は、実質的に、トラックフレーム１１５と長手方向に整列している。ユーザは、腕および肘をアームレストホルダー１０１に載置した状態でハンドルバーに掴まることができる。膝立ち支持体１１７の膝立ちパッドは、トラックフレーム１１５の長手方向と一定の角度（たとえば、４５度）を成すように左に回転させることができる。ユーザが膝立ちパッドを回転させた状態で膝立ちパッドに膝を載せると、トラックフレーム１１５の曲率に沿った摺動運動または滑動運動を生じさせて、ユーザの下半身を介したツイスト効果をもたらすことができる。
【００３４】
次に図１０Ａ〜１０Ｂを参照すると、アームレストホルダー１０１は、フレーム１１５の長手方向に対して中間の大きさ（たとえば、３０度）の角度関係を成すように左に回転させることができる。膝立ち支持体１１７の膝立ちパッドは、トラックフレーム１１５の長手方向との角度から左に回転させることができる。ユーザは、腕および肘をアームレストホルダー１０１に載置した状態でハンドルバーに掴まって、上半身および下半身のツイスト効果のあるトラックフレーム１１５の曲率に沿った上下の摺動運動を生じさせることができる。代替的には、次に図１１Ａ〜図１１Ｂを参照すると、膝立ちパッドを回転させた状態でとともにトラックフレームに沿って動かしながらツイスト効果を増大させるために、トラックフレーム１１５の長手方向に対して一定の大きさ（たとえば、６０度）の鋭角な角度関係を成すように、アームレストホルダー１０１をさらに左に回転させることができる。図１２Ａ〜図１２Ｂおよび図１３Ａ〜図１３Ｂは、図１０〜図１１と同様の運動器具の用途・適用例を示しており、膝立ち支持体を左側に回転させながら、アームレストホルダー１０１を右側に回転させている。アームレストホルダー１０１と膝立ち支持体１１７の膝立ちパッドとは、互いに対抗する方向または同様の方向（たとえば、左および右）に向かって配向されるように構成することができる。
【００３５】
本考案が属する技術分野の通常の知識を有する者には、上記の説明および関連する図面に提示された教示の利益を有する、本明細書に記載した本考案の多くの修正形態および他の実施形態が想到されるであろう。したがって、本考案は、開示した特定の実施形態およびその修正形態に限定されるべきではなく、他の実施形態が添付の実用新案登録請求の範囲に含まれるものであることを理解されたい。本明細書では特定の用語が採用されているが、かかる用語は一般的かつ記述的な意味でのみ使用されており、限定を目的とするものではない。
【図３Ａ】
0003193111.tif 000003
【図３Ｂ】
0003193111.tif 000004
【図４Ａ】
0003193111.tif 000005
【図４Ｂ】
0003193111.tif 000006
【図５Ａ】
0003193111.tif 000007
【図５Ｂ】
0003193111.tif 000008
【図６Ａ】
0003193111.tif 000009
【図６Ｂ】
0003193111.tif 000010
【図７Ａ】
0003193111.tif 000011
【図７Ｂ】
0003193111.tif 000012
【図８Ａ】
0003193111.tif 000013
【図８Ｂ】
0003193111.tif 000014
【図９Ａ】
0003193111.tif 000015
【図９Ｂ】
0003193111.tif 000016
【図１０Ａ】
0003193111.tif 000017
【図１０Ｂ】
0003193111.tif 000018
【図１１Ａ】
0003193111.tif 000019
【図１１Ｂ】
0003193111.tif 000020
【図１２Ａ】
0003193111.tif 000021
【図１２Ｂ】
0003193111.tif 000022
【図１３Ａ】
0003193111.tif 000023
【図１３Ｂ】
0003193111.tif 000024
【図１】
0003193111.tif 000025
【図２】
0003193111.tif 000026